(57)【要約】【課題】開閉装置の意匠性を維持しながら、電装品の取付作業を効率的に行うことが可能となる、電装品の取付構造を提供すること。【解決手段】検知部４０の取付構造は、建物の開口部に設けられた開閉装置を構成するシャッター収納部２０であって開口部の周縁に設けられたシャッター収納部２０に対して、検知部４０を取り付けるための取付構造であって、シャッター収納部２０に設けられた収容空間ＳＳであって、検知部４０をシャッター収納部２０の外部から内部に向けて挿通可能とし、且つ、検知部４０をシャッター収納部２０から外部に向けて突出しないように収容可能とする収容空間ＳＳを備えた。【選択図】図２
2019143327.tif 000002
【特許請求の範囲】
【請求項１】
建物の開口部に設けられた開閉装置を構成する周縁部材であって前記開口部の周縁に設けられた周縁部材に対して、電装品を取り付けるための取付構造であって、
前記周縁部材に設けられた収容空間であって、前記電装品を前記周縁部材の外部から内部に向けて挿通可能とし、且つ、前記電装品を前記周縁部材から外部に向けて突出しないように収容可能とする収容空間を備えた、
電装品の取付構造。
【請求項２】
前記周縁部材の内部に設けられた配線収納手段であって、当該配線収納手段の内部に前記電装品に接続された配線を収納するための配線収納手段を備え、
前記配線収納手段の下側側部を、当該下側側部の一部の端部から当該端部とは反対側の端部に向かうにしたがって下方に向けて傾斜するように形成し、
前記配線収納手段の下側側部の下方部分に、前記配線収納手段の内部に浸入した水を前記配線収納手段の外部へ排出するための排出口を設けた、
請求項１に記載の電装品の取付構造。
【請求項３】
前記周縁部材の側部のうち前記収容空間側の側部である収容空間側側部に、前記電装品を取り付け、
前記周縁部材の内部に、前記収容空間側側部を水平又は垂直に保持するための保持手段を設けた、
請求項１又は２に記載の電装品の取付構造。
【請求項４】
前記周縁部材の側部のうち前記収容空間側の側部である収容空間側側部に、前記電装品を取り付け、
前記収容空間側側部の前後方向の長さを前記電装品の前後方向の長さと略同一とし、前記収容空間側側部の左右方向の長さを前記電装品の左右方向の長さと略同一とし、又は、前記収容空間側側部の上下方向の長さを前記電装品の上下方向の長さと略同一とした、
請求項１又は２に記載の電装品の取付構造。
【請求項５】
前記電装品を長尺状に形成し、
前記周縁部材に設けられた長尺な挿通口であって、前記電装品を前記周縁部材の外部から前記収容空間に向けて挿通するための挿通口を備え、
前記挿通口の長手方向の長さを、前記電装品の長手方向の長さよりも短くした、
請求項１から４のいずれか一項に記載の電装品の取付構造。
【発明の詳細な説明】
【技術分野】
【０００１】
本発明は、電装品の取付構造に関する。
【背景技術】
【０００２】
従来、建物の開口部に設置されたシャッター装置に関する電装品を取り付ける技術の一つとして、シャッター装置のシャッターケースの底面板に形成された切欠き孔部に、電源スイッチの一部が外部に露出するように当該電源スイッチを嵌入することが可能な構造が提案されている（例えば、特許文献１参照）。このような構造により、電源スイッチの視認性及び操作性を向上させることができる。
【先行技術文献】
【特許文献】
【０００３】
【特許文献１】特開２０１４−２３４５９３号公報
【発明の概要】
【発明が解決しようとする課題】
【０００４】
しかしながら、上記従来の技術においては、上述したように、電源スイッチがシャッターケースの底面板に取り付けられている状態では、電源スイッチが外部に露出していることから、シャッター装置の意匠性を低下させるおそれがあった。したがって、シャッター装置の如き開閉装置の意匠性及び電源スイッチ如き電装品の取付性の観点からは改善の余地があった。
【０００５】
本発明は、上記従来技術における課題を解決するためのものであって、開閉装置の意匠性を維持しながら、電装品の取付作業を効率的に行うことが可能となる、電装品の取付構造を提供することを目的とする。
【課題を解決するための手段】
【０００６】
上述した課題を解決し、目的を達成するために、請求項１に記載の電装品の取付構造は、建物の開口部に設けられた開閉装置を構成する周縁部材であって前記開口部の周縁に設けられた周縁部材に対して、電装品を取り付けるための取付構造であって、前記周縁部材に設けられた収容空間であって、前記電装品を前記周縁部材の外部から内部に向けて挿通可能とし、且つ、前記電装品を前記周縁部材から外部に向けて突出しないように収容可能とする収容空間を備えた。
【０００７】
請求項２に記載の電装品の取付構造は、請求項１に記載の電装品の取付構造において、前記周縁部材の内部に設けられた配線収納手段であって、当該配線収納手段の内部に前記電装品に接続された配線を収納するための配線収納手段を備え、前記配線収納手段の下側側部を、当該下側側部の一部の端部から当該端部とは反対側の端部に向かうにしたがって下方に向けて傾斜するように形成し、前記配線収納手段の下側側部の下方部分に、前記配線収納手段の内部に浸入した水を前記配線収納手段の外部へ排出するための排出口を設けた。
【０００８】
請求項３に記載の電装品の取付構造は、請求項１又は２に記載の電装品の取付構造において、前記周縁部材の側部のうち前記収容空間側の側部である収容空間側側部に、前記電装品を取り付け、前記周縁部材の内部に、前記収容空間側側部を水平又は垂直に保持するための保持手段を設けた。
【０００９】
請求項４に記載の電装品の取付構造は、請求項１又は２に記載の電装品の取付構造において、前記周縁部材の側部のうち前記収容空間側の側部である収容空間側側部に、前記電装品を取り付け、前記収容空間側側部の前後方向の長さを前記電装品の前後方向の長さと略同一とし、前記収容空間側側部の左右方向の長さを前記電装品の左右方向の長さと略同一とし、又は、前記収容空間側側部の上下方向の長さを前記電装品の上下方向の長さと略同一とした。
【００１０】
請求項５に記載の電装品の取付構造は、請求項１から４のいずれか一項に記載の電装品の取付構造において、前記電装品を長尺状に形成し、前記周縁部材に設けられた長尺な挿通口であって、前記電装品を前記周縁部材の外部から前記収容空間に向けて挿通するための挿通口を備え、前記挿通口の長手方向の長さを、前記電装品の長手方向の長さよりも短くした。
【発明の効果】
【００１１】
請求項１に記載の電装品の取付構造によれば、周縁部材に設けられた収容空間であって、電装品を周縁部材の外部から内部に向けて挿通可能とし、且つ、電装品を周縁部材から外部に向けて突出しないように収容可能とする収容空間を備えたので、電装品が露出することを防止できると共に、周縁部材を取り外す手間を要することなく、電装品の取り付け又は取り外しを行うことができる。よって、開閉装置の意匠性を維持しながら、電装品の取付作業を効率的に行うことができる。
【００１２】
請求項２に記載の電装品の取付構造によれば、周縁部材の内部に設けられた配線収納手段を備えたので、電装品に接続された配線を外部に露出しないように収納できると共に、上記配線が他の部材（例えば、開閉装置の開閉体）との接触によって損傷することを回避でき、この配線を効果的に収納することができる。また、配線収納手段の下側側部を、当該下側側部の一部の端部から当該端部とは反対側の端部に向かうにしたがって下方に向けて傾斜するように形成し、配線収納手段の下側側部の下方部分に排出口を設けたので、配線収納手段の内部に浸入した水を配線収納手段の外部へ排出でき、上記浸入した水によって配線収納手段に収納されている上記配線に不具合が生じることを回避できる。
【００１３】
請求項３に記載の電装品の取付構造によれば、収容空間側側部に電装品を取り付け、周縁部材の内部に保持手段を設けたので、保持手段によって収容空間側側部のたわみが抑制されることで収容空間側側部を水平又は垂直に保持でき、収容空間側側部に取り付けられている電装品からの光線の入出射又は信号の入出力を正確に行うことが可能となる。
【００１４】
請求項４に記載の電装品の取付構造によれば、収容空間側側部に、電装品を取り付け、収容空間側側部の前後方向の長さを電装品の前後方向の長さと略同一とし、収容空間側側部の左右方向の長さを電装品の左右方向の長さと略同一とし、又は、収容空間側側部の上下方向の長さを電装品の上下方向の長さと略同一としたので、周縁部材の大きさが過大になることを抑制でき、開閉装置の意匠性を維持することが可能となる。
【００１５】
請求項５に記載の電装品の取付構造によれば、挿通口の長手方向の長さを電装品の長手方向の長さよりも短くしたので、挿通口の長手方向の長さを電装品の長手方向の長さよりも長くした場合に比べて、例えば電装品をケンドン式に挿通すること等により電装品の取付性を維持しながら、収容空間に収容されている電装品が挿通口を介して周縁部材から脱落することを抑制できる。また、挿通口の長手方向の長さを比較的短くでき、周縁部材の外観意匠を維持できる。
【図面の簡単な説明】
【００１６】
【図１】本発明の実施の形態に係る開閉装置を示す図であり、（ａ）は正面図、（ｂ）は右側面図である。
【図２】図１のシャッター収納部の周辺領域の拡大図であり、（ａ）は正面図、（ｂ）は底面図である。
【図３】図２のＡ−Ａ矢視断面図であり、（ａ）は全開状態を示す図、（ｂ）は全閉状態を示す図である。
【図４】図３（ａ）の検知部の周辺領域の拡大図である。
【図５】検知部を示す図であり、（ａ）は正面図、（ｂ）は底面図、（ｃ）は右側面図である。
【図６】検知部本体を示す図であり、（ａ）は正面図、（ｂ）は底面図、（ｃ）は右側面図である。
【図７】カバー部を示す図であり、（ａ）は正面図、（ｂ）は平面図、（ｃ）は左側面図である。
【図８】固定部を示す図であり、（ａ）は正面図、（ｂ）は底面図、（ｃ）は右側面図である。
【図９】配線収容部を示す図であり、（ａ）は正面図、（ｂ）は底面図、（ｃ）は右側面図である。
【図１０】シャッター収納部の変形例を示す図であり、図３（ａ）に対応する領域を示す図である。
【図１１】配線収容部の変形例を示す図であり、図２に対応する領域を示す図である。
【図１２】配線収容部の変形例を示す図であり、図９に対応する領域を示す図である。
【発明を実施するための形態】
【００１７】
以下に添付図面を参照して、この発明に係る電装品の取付構造の実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００１８】
〔Ｉ〕実施の形態の基本的概念
まず、実施の形態の基本的概念について説明する。実施の形態は、概略的に、建物の開口部に設けられた開閉装置を構成する周縁部材であって開口部の周縁に設けられた周縁部材に対して、電装品を取り付けるための取付構造に関するものである。
【００１９】
ここで、「建物」とは、その具体的な構造や種類は任意であるが、例えば、戸建て住宅、アパートやマンションの如き集合住宅、オフィスビル、商業施設、及び公共施設等を含む概念である。また、「建物の開口部」とは、建物の躯体の一部分（例えば、壁、天井、又は床等）において窓や入り口を設置するために形成された開口部である。また、「開閉装置」とは、防犯や防火のために、開口部に取り付けられる装置であり、例えば、窓シャッター等のシャッターカーテンを電動又は手動で駆動可能な全ての形式のシャッター装置を含む概念である。また、この開閉装置の開閉方向については、例えば上下方向、左右方向、前後方向等が該当する。また、「周縁部材」とは、開閉装置を構成する部材のうち、開口部の周縁に位置する部材を意味する。この「周縁部材」は、例えば、シャッター収納部、枠体の各種の枠材、又はシャッター収納部若しくは枠体に取り付けられる付属部材（一例として、ガイドレール等）等を含む概念であるが、実施の形態では、シャッター収納部として説明する。また、「電装品」とは、開閉装置に関連する電子部品、又はこの電子部品と付属部品とを組み合わせたもの等を含むものを意味する。以下、実施の形態では、開閉装置が、戸建て住宅の如き建物の壁であって窓を有する壁に設けられた上下開閉式且つ電動式の窓シャッター（ブラインドシャッター）である場合について説明する。
【００２０】
〔ＩＩ〕実施の形態の具体的内容
次に、実施の形態の具体的内容について説明する。
【００２１】
（構成）
最初に、実施の形態に係る電装品の取付構造が適用される開閉装置の構成について説明する。以下の説明では、図１のＸ方向を開閉装置の左右方向又は見付け方向（＋Ｘ方向を開閉装置の左方向、−Ｘ方向を開閉装置の右方向）、図１のＹ方向を開閉装置の前後方向又は見込み方向（＋Ｙ方向を開閉装置の前方向（建物の屋外側の方向）、−Ｙ方向を開閉装置の後方向（建物の屋内側の方向））、図１のＺ方向を開閉装置の上下方向又は見付け方向（＋Ｚ方向を開閉装置の上方向、−Ｚ方向を開閉装置の下方向）と称する。図１に示すように、この開閉装置１は、概略的に、枠体１０、シャッター収納部２０、シャッターカーテン３０、開閉機（図示省略）、巻取軸（図示省略）、検知部４０、及び制御ユニット（図示省略）を備えている。ただし、開閉装置１に関する特記しない構成については、従来と同様であるものとして説明を省略する。なお、開閉装置１を構成する各種部材同士の取付方法（又は接続方法）については任意であるが、例えば、取付側の部材又は取付相手側の部材に形成された取付孔（例えば、リベット孔、ネジ孔、ビス孔等）を介して、取付側の部材を取付相手側の部材に対して固定具（例えば、リベット、取付ネジ、ビス等）、溶接、接着剤、両面テープ等によって取り付ける（又は接続する）方法が採用されている。
【００２２】
また、この開閉装置１は、上述のように窓シャッターであって、図１に示すように、建物の壁２の開口部には窓が設けられており、この開閉式の窓の屋外側にシャッターカーテン３０が設けられている。このため、シャッターカーテン３０は、開口部３を、当該開口部３の開口面内ではなく当該開口部３の開口面よりも屋外側において開閉することになるが、このような開閉であっても、開口部３を介した人や物の出入りを制限するための開閉を行う点において同様であるため、「建物の壁２の開口部３を開閉する」ものとして説明する。ただし、窓には公知の開閉式のサッシ窓等を採用することができるので、その説明は省略する。
【００２３】
（構成−枠体）
枠体１０は、開口部３の周縁に設置されるものである。この枠体１０は、複数のアルミニウム製（又は鋼製（一例として、スチール製、ステンレス製等））の枠材を相互に組み合わせることによって構成されており、図１に示すように、左縦枠（図示省略）、右縦枠１１、及び水切り板１２を含んで構成されている。そして、これら左縦枠、右縦枠１１、及び水切り板１２は、それぞれ建物の壁２の開口部３の周縁における建物の壁２の外面に公知の方法で直接的に固定されている。
【００２４】
また、図１に示すように、左縦枠と右縦枠１１の各々には、ガイドレール１５が設けられている。ガイドレール１５は、シャッターカーテン３０を開口部３の開閉方向（すなわち、上下方向）に沿って移動するように案内するガイド手段である。このガイドレール１５は、長尺な板状体であり、左縦枠（又は右縦枠１１）の上下方向の略全長にわたって形成されている。そして、このガイドレール１５は、左縦枠、右縦枠１１の前面において、当該ガイドレール１５の上下方向（長手方向）が左縦枠と右縦枠１１の各々の上下方向（長手方向）に略沿う方向で配置され、左縦枠又は右縦枠１１に対して固定具等によって固定されている。また、ガイドレール１５の下端部には、当該下端部を保護するための塞ぎ部（図示省略）が設けられている。
【００２５】
（構成−シャッター収納部）
シャッター収納部２０は、開口部３の周縁に位置する周縁部材であって、開閉装置１の各部を収納するための収納手段ある。このシャッター収納部２０は、鋼製（又はアルミニウム製）の中空状体であり、図１から図３に示すように、建物の壁２における開口部３の上端部よりも上方において、後述する第１取付板及び第２取付板、並びに第１ケース補強部材２３及び第２ケース補強部材２４に対して取り付けられている。また、このシャッター収納部２０の内部には、巻取軸、開閉機、検知部４０、及び制御ユニットが収容されていると共に、巻取軸にてシャッターカーテン３０が持ち上げられた状態では、シャッターカーテン３０の少なくとも一部も、シャッター収納部２０の内部に収容される。なお、シャッター収納部２０の構成の詳細については後述する。
【００２６】
（構成−シャッターカーテン）
図１に戻り、シャッターカーテン３０は、開口部３の開閉を開閉方向に移動することにより行う開閉体であり、具体的には、巻取軸によって開閉移動されることで、開口部３を全開した状態（以下、「全開状態」と称する）、開口部３を全閉した状態（以下、「全閉状態」と称する）、あるいは全閉状態とも全開状態とも異なる状態（以下、「半開状態」と称する）にする。このシャッターカーテン３０は、例えば公知のブラインド式のシャッターカーテンを用いて構成されており、図１、図３に示すように、複数のスラット３１を備えている。この各スラット３１は、当該各スラット３１の左右の両端部側に設けられたリンク部材であって、巻取軸の回動に伴って上下方向に向けて移動可能な前側リンク部材（図示省略）及び後側リンク部材（図示省略）の各々に対して回動可能に接続されている。また、このシャッターカーテン３０の左右方向の両端部の各々は、ガイドレール１５のコ字状の開放端部を介してガイドレール１５の内部に挿入されており、上下方向においてはガイドレール１５の内部をスライド移動可能であり、かつ、前後方向においてはガイドレール１５の外部に脱落しないように規制されている。
【００２７】
（構成−開閉機）
開閉機は、巻取軸を回転駆動することによって電動でシャッターカーテン３０を昇降させる昇降手段であり、操作スイッチ（図示省略）又はリモコン（図示省略）を介して操作される。
【００２８】
（構成−検知部）
図１に戻り、検知部４０は、シャッターカーテン３０の近傍に検知対象（例えば、人等）が存在するか否かを検知するための電装品であり、図１から図４に示すように、シャッター収納部２０の収納空間（以下、「シャッター収納空間」と称する）のうち下方側に位置するように設けられている。なお、この検知部４０の構成の詳細については後述する。
【００２９】
（構成−制御ユニット）
制御ユニットは、開閉装置１の各部を相互に連動させるものである。この制御ユニットは、開閉機と配線（図示省略）を介して電気的に接続されており、通信部、電源部、制御部、及び記憶部を備えている（いずれも図示省略）。このうち、通信部は、操作スイッチ、リモコン、検知部４０、又は外部装置との相互間で通信するための通信手段である。また、電源部は、図示しない商用電源又は電池（例えば、バッテリ等）から供給された電力を、制御ユニットの各部に供給する電源手段である。また、制御部は、制御ユニットの各部を制御する制御手段である。また、記憶部は、制御ユニットの動作に必要なプログラム及び各種のデータを記憶する記憶手段である。
【００３０】
（構成−シャッター収納部の構成の詳細）
図１に戻り、次に、シャッター収納部２０の構成の詳細について説明する。実施の形態では、図１から図３に示すように、シャッター収納部２０は、第１取付板（図示省略）、第２取付板（図示省略）、上側ケース部２１、下側ケース部２２、第１ケース補強部材２３、及び第２ケース補強部材２４を備えている。
【００３１】
（構成−シャッター収納部の構成の詳細−第１取付板、第２取付板）
第１取付板及び第２取付板は、上側ケース部２１、下側ケース部２２、第１ケース補強部材２３、及び第２ケース補強部材２４を左縦枠又は右縦枠１１に対して取り付けるための板材である。この第１取付板は、左縦枠の上方側部分に設けられており、左縦枠に対して固定具等によって固定されている。また、この第２取付板は、右縦枠１１の上方側部分に設けられており、右縦枠１１に対して固定具等によって固定されている。
【００３２】
（構成−シャッター収納部の構成の詳細−上側ケース部）
図２に戻り、上側ケース部２１は、シャッター収納空間の部分のうち上方側の部分Ｓ１（以下、「第１シャッター収納空間Ｓ１」と称する）を覆うための板材であり、第１取付板、第２取付板、及び第１ケース補強部材２３に対して固定具等によって固定されている。また、この上側ケース部２１は、例えば下面が開放された箱状体にて形成されており、図２、図３に示すように、第１上側側片２１ａ、第２上側側片２１ｂ、第３上側側片２１ｃ、及び第４上側側片２１ｄを備えている。
【００３３】
このうち、第１上側側片２１ａは、上方側に位置する側片であり、第１シャッター収納空間Ｓ１の上端全体を覆うように形成されている。また、第２上側側片２１ｂは、前方側に位置する側片であり、第１シャッター収納空間Ｓ１の前端全体を覆うように形成されている。また、第３上側側片２１ｃは、左方側に位置する側片であり、第１シャッター収納空間Ｓ１の左端全体を覆うように形成されている。また、第４上側側片２１ｄは、右方側に位置する側片であり、第１シャッター収納空間Ｓ１の右端全体を覆うように形成されている。
【００３４】
また、この上側ケース部２１は任意の方法や材質で製造することができ、例えば、鋼板の曲げ成形により製造することができる（なお、下側ケース部２２及び取付板の製造についても同様とする）。
【００３５】
（構成−シャッター収納部の構成の詳細−下側ケース部）
図２に戻り、下側ケース部２２は、シャッター収納空間のうち上側ケース部２１よりも下方側の部分Ｓ２（以下、「第２シャッター収納空間Ｓ２」と称する）を覆うための板材であり、第１取付板、第２取付板、第１ケース補強部材２３、及び第２ケース補強部材２４に対して固定具等によって固定されている。また、この下側ケース部２２は、例えば上面及び後面が開放された箱状体にて形成されており、図２から図４に示すように、第１下側側片２２ａ、第２下側側片２２ｂ、第３下側側片２２ｃ、及び第４下側側片２２ｄを備えている。
【００３６】
このうち、第１下側側片２２ａは、前方側に位置する側片であり、第２シャッター収納空間Ｓ２の前端全体を覆うように形成されている。また、第２下側側片２２ｂは、左方側に位置する側片であり、第２シャッター収納空間Ｓ２の左端全体を覆うように形成されている。また、第３下側側片２２ｃは、右方側に位置する側片であり、第２シャッター収納空間Ｓ２の右端全体を覆うように形成されている。また、第４下側側片２２ｄは、下方側に位置する側片であり、第２シャッター収納空間Ｓ２の下端のうち前方側の部分のみを覆うように形成されている。
【００３７】
（構成−シャッター収納部の構成の詳細−第１ケース補強部材、第２ケース補強部材）
図２に戻り、第１ケース補強部材２３及び第２ケース補強部材２４は、上側ケース部２１及び下側ケース部２２を補強するための部材である。これら第１ケース補強部材２３及び第２ケース補強部材２４は、鋼製の長尺な板状体（例えば、断面形状がコ字状である板状体）にて形成されており、具体的には、図２に示すように、第１ケース補強部材２３及び第２ケース補強部材２４の各々の長手方向の長さ（左右方向の長さ）がシャッター収納部２０の左右方向の長さと略同一となると共に、第２ケース補強部材２４の断面形状が第１ケース補強部材２３の断面形状よりも大きくなるように形成されている。また、図２、図３に示すように、これら第１ケース補強部材２３及び第２ケース補強部材２４は、シャッター収納空間の前方側の位置であり、且つ下側ケース部２２の第４下側側片２２ｄよりも上方側の位置に設けられている。具体的には、第１ケース補強部材２３が第２ケース補強部材２４よりも上方に位置するように、相互に間隔を隔てて上下方向に略沿って並設されており、第１取付板及び第２取付板に対して固定具等によってそれぞれ固定されている。
【００３８】
（構成−検知部の構成の詳細）
図２に戻り、次に、検知部４０の構成の詳細について説明する。実施の形態では、図２から図５に示すように、検知部４０は、検知部本体５０、カバー部６０、及び固定部７０を備えている。
【００３９】
（構成−検知部の構成の詳細−検知部本体）
検知部本体５０は、検知部４０の基本構造体（電装品本体）であり、例えば公知の非接触式の検知センサ（一例として、近赤外線反射式のセンサ等）を用いて構成されている。また、この検知部本体５０は、長尺状体に形成されており、図２から図６に示すように、検知部本体５０の長手方向が左右方向に略沿うように設けられていると共に、検知部本体５０から光線（赤外線）が下方に向けて送信可能となるように設けられている。
【００４０】
また、この検知部本体５０が近赤外線反射式のセンサである場合の検知動作については、例えば、検知部本体５０から送信された赤外線が検知対象によって反射され、当該反射された赤外線が検知部本体５０によって受信された場合には、検知対象が検知された旨を示す情報を含む検知信号を出力する。一方、検知部本体５０から送信された赤外線が床部（図示省略）によって反射され、当該反射された赤外線が検知部本体５０によって受信された場合には、検知信号を出力しない。
【００４１】
（構成−検知部の構成の詳細−カバー部）
カバー部６０は、検知部本体５０を外側から覆うためのカバー手段である。このカバー部６０は、例えば前面及び下面が開放された箱状体にて形成されており、図７に示すように、第１カバー側片６１、第２カバー側片６２、第３カバー側片６３、及び第４カバー側片６４を備えている。このうち、第１カバー側片６１は、上方側に位置する側片であり、検知部本体５０の上面全体を覆うように形成されている。また、第２カバー側片６２は、後方側に位置する側片であり、検知部本体５０の後面全体を覆うように形成されている。また、第３カバー側片６３は、左方側に位置する側片であり、検知部本体５０の左面全体を覆うように形成されている。また、第４カバー側片６４は、右方側に位置する側片であり、検知部本体５０の右面全体を覆うように形成されている。
【００４２】
また、図７（ｃ）に示すように、カバー部６０には、切欠部６５が設けられている。この切欠部６５は、検知部本体５０に接続された配線４０ａ（以下、「検知部配線４０ａ」と称する）をカバー部６０の外部に露出させるためのものであり、カバー部６０の部分のうち後述する配線収納部９０側の部分（図７（ｃ）では、カバー部６０の第３カバー側片６３の上端部及びその近傍部分）に形成されている。
【００４３】
また、このカバー部６０は任意の方法や材質で製造することができ、例えば、樹脂材を射出成形することにより製造することができる（なお、固定部７０の製造についても同様とする）。
【００４４】
（構成−検知部の構成の詳細−固定部）
固定部７０は、検知部本体５０及びカバー部６０をシャッター収納部２０に対して固定するための固定手段である。この固定部７０は、Ｙ−Ｚ平面に沿った断面形状が略逆Ｌ字状となるように形成された板状体であり、図８に示すように、第１固定側片７１及び第２固定側片７２を備えている。このうち、第１固定側片７１は、後方側に位置する側片であり、カバー部６０の第２カバー側片６２全体を外側から覆うように形成されている。また、第２固定側片７２は、下方側に位置する側片であり、検知部本体５０よりも下方位置において、第１固定側片７１から建物の屋外側に向けて張り出すように形成されている。
【００４５】
また、図８（ａ）、図８（ｂ）に示すように、固定部７０には、切欠部７３が設けられている。このうち、切欠部７３は、検知部本体５０における赤外線の入出射部分５１を固定部７０の外部に露出させるためのものであり、第２固定側片７２の検知部本体５０に対応する部分に形成されている。
【００４６】
また、検知部４０の形成方法については任意であるが、実施の形態では、検知部本体５０、カバー部６０、及び固定部７０をそれぞれ別体に形成している。これにより、検知部本体５０、カバー部６０、及び固定部７０を一体に形成した場合に比べて、例えば、検知部本体５０の大きさに応じて、カバー部６０又は固定部７０の少なくともいずれか１つの形状を変更でき、カバー部６０又は固定部７０の取付性を向上できる。
【００４７】
また、検知部４０の組立方法については任意であるが、実施の形態では、まず、検知部本体５０をカバー部６０に収容すると共に、カバー部６０の第２カバー側片６２と固定部７０の第１固定側片７１とを当接させる。そして、その状態を維持しながら、カバー部６０及び固定部７０を、第１固定側片７１に形成された図８の取付孔７１ａ、第２カバー側片６２に形成された図７の取付孔６２ａ、及び検知部本体５０に形成された取付孔（図示省略）を介して検知部本体５０に対して固定具等によって固定することにより、検知部４０を組み立てる。
【００４８】
以上のような検知部４０（具体的には、長尺な検知部４０）により、検知部本体５０を保護しながら、検知部４０をシャッター収納部２０に対して容易に固定でき、検知部４０の取付作業を効率的に行うことができる。
【００４９】
（構成−検知部の取付構造）
図１に戻り、次に、検知部４０の取付構造について説明する。シャッター収納部２０に対して、検知部４０を取り付けるための取付構造の特徴については、実施の形態では、以下に示す通りとなる。
【００５０】
（構成−検知部の取付構造−第１の特徴）
まず、取付構造の第１の特徴については、図１から図４に示すように、シャッター収納部２０には、収容空間ＳＳが設けられている。収容空間ＳＳは、検知部４０をシャッター収納部２０の外部から内部に向けて挿通可能とし、且つ、検知部４０をシャッター収納部２０から外部に向けて突出しないように収容可能とする空間である。この収容空間ＳＳは、シャッター収納空間（第２シャッター収納空間Ｓ２）の下方側に設けられている。具体的には、図２に示すように、下側ケース部２２の第４下側側片２２ｄにおける左右方向の略中央部分に形成された長尺な挿通口２２ｅであって、検知部４０をシャッター収納部２０の外部から収容空間ＳＳに向けて挿通するための挿通口２２ｅから第２ケース補強部材２４（具体的には、第２ケース補強部材２４の下端部及びその近傍）に形成された切欠部２４ａに至る範囲に形成されている。
【００５１】
ここで、収容空間ＳＳの具体的な形状及び大きさについては任意であるが、実施の形態では、図２に示すように、収容空間ＳＳの形状については、長尺な略直方体状に設定している。また、収容空間ＳＳの大きさについては、図２から図４に示すように、検知部４０の大きさと略同一に設定しており、具体的には、収容空間ＳＳの左右方向の長さ、前後方向の長さ、及び上下方向の長さを、検知部４０の左右方向の長さ、前後方向の長さ、上下方向の長さとそれぞれ略同一に設定している。このような収容空間ＳＳにより、検知部４０が露出することを防止できると共に、シャッター収納部２０を取り外す手間を要することなく、検知部４０の取り付け又は取り外しを行うことができる。よって、開閉装置１の意匠性を維持しながら、検知部４０の取付作業を効率的に行うことができる。特に、収容空間ＳＳをシャッター収納部２０に設けることができ、シャッター収納部２０に対する検知部４０の取付作業を効率的に行うことが可能となる。
【００５２】
また、この場合において、挿通口２２ｅの具体的な大きさについては任意であるが、実施の形態では、図２（ｂ）に示すように、挿通口２２ｅの長手方向の長さＬ１（図２（ｂ）では、左右方向の長さ）を、検知部４０の長手方向の長さＬ２（図２（ｂ）では、左右方向の長さ）よりも短く設定している（ただし、検知部４０の長手方向以外の方向の長さ（例えば、検知部４０の上下方向の長さ）よりも長く設定している）。また、挿通口２２ｅの短手方向の長さ（図２（ｂ）では、前後方向の長さ）を、検知部４０の短手方向の長さ（図２（ｂ）では、前後方向の長さ）と略同一に（又は若干長く）設定している。これにより、挿通口２２ｅの長手方向の長さを検知部４０の長手方向の長さよりも長くした場合に比べて、例えば検知部４０をケンドン式に挿通すること等により検知部４０の取付性を維持しながら、収容空間ＳＳに収容されている検知部４０が挿通口２２ｅを介してシャッター収納部２０から脱落することを抑制できる。また、挿通口２２ｅの長手方向の長さを比較的短くでき、シャッター収納部２０の外観意匠を維持できる。ただし、これに限らず、例えば、挿通口２２ｅの長手方向の長さＬ１を、検知部４０の長手方向の長さＬ２よりも長く設定してもよい。
【００５３】
（構成−検知部の取付構造−第２の特徴）
図２に戻り、次に、取付構造の第２の特徴については、図２から図４に示すように、検知部４０は、収容空間ＳＳ内に設けられており、下側ケース部２２の第４下側側片２２ｄに取り付けられている。この検知部４０の取付方法については任意であるが、実施の形態では、検知部４０を、第４下側側片２２ｄに形成された取付孔（図示省略）及び固定部７０の第２固定側片７２に形成された図８の取付孔７２ａを介して第４下側側片２２ｄに対して固定具等によって固定している。なお、この第４下側側片２２ｄは、特許請求の範囲における「収容空間側側部」に対応する。
【００５４】
この場合において、シャッター収納部２０の具体的な構成については任意であるが、実施の形態では、以下の通りに構成されている。すなわち、まず、図４に示すように、第４下側側片２２ｄにおける前後方向の長さを、検知部４０の前後方向の長さと略同一に設定している。これにより、シャッター収納部２０の大きさ（具体的には、シャッター収納部２０の前後方向の長さ）が過大になることを抑制でき、開閉装置１の意匠性を維持することが可能となる。
【００５５】
また、図２、図３に示すように、シャッター収納部２０の内部には、保持部材８０が設けられている。保持部材８０は、第４下側側片２２ｄを水平又は垂直に保持するための保持手段である。この保持部材８０は、例えば鋼製の板状体にて形成されており、第１ケース補強部材２３と第２ケース補強部材２４との相互間に設けられ、第１ケース補強部材２３及び第２ケース補強部材２４に対して固定具等によって接続されている。これにより、保持部材８０によって第４下側側片２２ｄのたわみが抑制されることで第４下側側片２２ｄを水平に保持でき、第４下側側片２２ｄに取り付けられている検知部４０からの赤外線の入出射（又は信号の入出力）を正確に行うことが可能となる。
【００５６】
（構成−検知部の取付構造−第３の特徴）
図２に戻り、次に、取付構造の第３の特徴については、図２に示すように、シャッター収納部２０の内部には、配線収納部９０が設けられている。配線収納部９０は、当該配線収納部９０の内部に検知部配線４０ａを収納するための配線収納手段である。この配線収納部９０は、シャッター収納空間（第２シャッター収納空間Ｓ２）内において収容空間ＳＳに隣接する位置に設けられており、具体的には、図２に示すように、検知部４０が収容空間ＳＳに収容された状態においてカバー部６０の切欠部６５と近接する位置（図２では、収容空間ＳＳよりも左方側の位置）に設けられている。
【００５７】
ここで、配線収納部９０の収納空間ＷＳ（以下、「配線収納空間ＷＳ」と称する）の具体的な形状及び大きさについては任意であるが、実施の形態では、以下の通りとなる。まず、配線収納空間ＷＳの形状については、図２に示すように、長尺な略直方体状に設定している。また、配線収納空間ＷＳの大きさについては、図２に示すように、収容空間ＳＳの大きさよりも小さく設定している。具体的には、配線収納空間ＷＳの左右方向の長さを収容空間ＳＳの左右方向の長さよりも短く設定し、配線収納空間ＷＳの前後方向の長さを収容空間ＳＳの前後方向の長さと略同一に設定し、配線収納空間ＷＳの上下方向の長さを収容空間ＳＳの上下方向の長さと略同一に設定している。
【００５８】
また、配線収納部９０の具体的な構成については任意であるが、実施の形態では、前面及び収容空間ＳＳ側の面（図９では、右面）が開放された箱状体にて形成されており、図９に示すように、第１配線収納側片９１、第２配線収納側片９２、第３配線収納側片９３、及び第４配線収納側片９４を備えている。このうち、第１配線収納側片９１は、上方側に位置する側片であり、配線収納空間ＷＳの上端全体を覆うように形成されている。また、第２配線収納側片９２は、後方側に位置する側片であり、配線収納空間ＷＳの後端全体を覆うように形成されている。また、第３配線収納側片９３は、左方側に位置する側片であり、配線収納空間ＷＳの左端全体を覆うように形成されている。また、第４配線収納側片９４は、下方側に位置する側片であり、配線収納空間ＷＳの下端全体を覆うように形成されている。このような構成により、配線収納部９０の開放面のうち収容空間ＳＳ側の開放面（図９では、右側開放面）を介して検知部配線４０ａを配線収納部９０にスムーズに挿通することができ、検知部配線４０ａを配線収納部９０に効果的に収容することができる。
【００５９】
また、第２配線収納側片９２の具体的な構成については任意であるが、実施の形態では、図９（ａ）に示すように、第１配線収納側片９１には、引出口９１ａが設けられている。引出口９１ａは、配線収納部９０に収容された検知部配線４０ａの一部を配線収納部９０の外部に引き出すための開口であり、第１配線収納側片９１の右端部及びその近傍部分に形成されている。このように、引出口９１ａと検知部配線４０ａを収容するための配線収納部９０の開放面（図９では、右側開放面）とを別体に設けているので、引出口９１ａから検知部配線４０ａを容易に引き出すことができる。
【００６０】
また、第４配線収納側片９４の具体的な構成については任意であるが、実施の形態では、第４配線収納側片９４は、当該第４配線収納側片９４の一部の端部から当該端部とは反対側の端部に向かうにしたがって下方に向けて傾斜するように形成されている。具体的には、図９（ａ）に示すように、第４配線収納側片９４の左端部から右端部に向かうにしたがって下方に向けて傾斜するように形成されている。また、図９（ａ）に示すように、第４配線収納側片９４には、排出口９４ａが設けられている。排出口９４ａは、配線収納部９０の内部に浸入した水を配線収納部９０の外部へ排出するための開口であり、第４配線収納側片９４の下方部分（図９（ａ）では、第４配線収納側片９４の右端部及びその近傍部分）に形成されている。このような構成により、配線収納部９０の内部に浸入した水を配線収納部９０の外部へ排出でき、上記浸入した水によって配線収納部９０に収納されている検知部配線４０ａに不具合が生じることを回避できる。なお、この第４配線収納側片９４は、特許請求の範囲における「配線収納手段の下側側部」に対応する。
【００６１】
また、配線収納部９０の取付方法については任意であるが、実施の形態では、配線収納部９０を、第２配線収納側片９２に形成された図９（ａ）の取付孔９２ａ及び第４下側側片２２ｄの後端部から上方に向けて張り出された図４の突出部２２ｆの取付孔（図示省略）を介して第４下側側片２２ｄに対して固定具等によって固定している。
【００６２】
また、配線収納部９０は任意の方法や材質で製造することができ、例えば、鋼製（又は樹脂製）を射出成形することにより製造することができる。
【００６３】
以上のような配線収納部９０により、検知部配線４０ａを外部に露出しないように収納できると共に、検知部配線４０ａが他の部材（例えば、開閉装置１のシャッターカーテン３０）との接触によって損傷することを回避でき、検知部配線４０ａを効果的に収納することができる。
【００６４】
（開閉装置の設置方法）
図２に戻り、続いて、このように構成された開閉装置１の設置方法について説明する。
【００６５】
まず、建物の壁２又は窓のサッシ（図示省略）に対して水切り板１２を固定する。次に、第１取付板を左縦枠に対して固定すると共に、第２取付板を右縦枠１１に対して固定した後、壁２又は窓のサッシに左縦枠及び右縦枠１１を固定する。次いで、工場等で開閉機及び制御ユニットが取り付けられたガイドレール１５を左縦枠及び右縦枠１１に対して固定する。そして、巻取軸を開閉機及びガイドレール１５に対して固定した後、シャッターカーテン３０をガイドレール１５に対して固定する。
【００６６】
次に、第１ケース補強部材２３と第２ケース補強部材２４を第１取付板及び第２取付板に対して固定する。次いで、保持部材８０を第１ケース補強部材２３と第２ケース補強部材２４に固定した後に、上側ケース部２１と下側ケース部２２（具体的には、工場等で配線収納部９０が取り付けられた下側ケース部２２）とを、第１取付板、第２取付板、第１ケース補強材部、及び第２ケース補強材部に対して固定する。その後、制御ユニットに接続された検知部配線４０ａを配設する。この検知部配線４０ａの配設方法については任意であるが、例えば、検知部配線４０ａのうち制御ユニットから配線収納部９０に至る部分を、図２の止め具４０ｂ等を用いて第１ケース補強部材２３、第２ケース補強部材２４、及び保持部材８０に這わすように設ける（ただし、これに限らず、第２ケース補強部材２４に這わしたり、又は下側ケース部２２の第４下側側片２２ｄに這わしてもよい）。そして、検知部配線４０ａを配線収納部９０の引出口９１ａ及び右側開放面を介して配線収納部９０に挿通させる。これにより、検知部配線４０ａが垂れ下がることを防止できる。
【００６７】
続いて、検知部４０をシャッター収納部２０に対して取り付ける。具体的には、まず、検知部配線４０ａのうち配線収納部９０から検知部４０に至る部分を配線収納部９０に収納しながら、検知部４０を収容空間ＳＳに収容した後、検知部４０を下側ケース部２２の第４下側側片２２ｄに固定する。ここで、検知部４０の収容方法については任意であるが、例えば、図２の想像線で示すように、検知部４０を下側ケース部２２の挿通口２２ｅを介してケンドン式に（例えば、第２ケース補強部材２４の垂直面の第２シャッター収納空間Ｓ２側に検知部４０が嵌まり込むように）収容空間ＳＳに入れ込むことにより収容してもよい。あるいは、全閉状態において、第４下側側片２２ｄとシャッターカーテン３０との隙間を介して検知部４０を収容空間ＳＳに入れ込むことにより収容してもよい。これにて開閉装置１の設置方法を終了する。
【００６８】
このような設置方法により、シャッター収納部２０を取り付けた後に、配線収納部９０における検知部配線４０ａの収容量を調整しながら検知部４０を収容空間ＳＳに収容でき、検知部４０の設置性を向上させることができる。また、取り付けた検知部４０を取り外す場合には、シャッター収納部２０を取り外すことなく検知部４０を取り外すことができるので、例えば検知部４０のメンテナンスを容易に行うことができる。
【００６９】
（実施の形態の効果）
このように実施の形態によれば、周縁部材に設けられた収容空間ＳＳであって、検知部４０を周縁部材の外部から内部に向けて挿通可能とし、且つ、検知部４０を周縁部材から外部に向けて突出しないように収容可能とする収容空間ＳＳを備えたので、検知部４０が露出することを防止できると共に、周縁部材を取り外す手間を要することなく、検知部４０の取り付け又は取り外しを行うことができる。よって、開閉装置１の意匠性を維持しながら、検知部４０の取付作業を効率的に行うことができる。
【００７０】
また、周縁部材の内部に設けられた配線収納部９０を備えたので、検知部４０に接続された検知部配線４０ａを外部に露出しないように収納できると共に、検知部配線４０ａが他の部材（例えば、開閉装置１のシャッターカーテン３０）との接触によって損傷することを回避でき、この検知部配線４０ａを効果的に収納することができる。また、配線収納部９０の第４配線収納側片９４を、第４配線収納側片９４の一部の端部から当該端部とは反対側の端部に向かうにしたがって下方に向けて傾斜するように形成し、第４配線収納側片９４の下方部分に排出口９４ａを設けたので、配線収納部９０の内部に浸入した水を配線収納部９０の外部へ排出でき、上記浸入した水によって配線収納部９０に収納されている検知部配線４０ａに不具合が生じることを回避できる。
【００７１】
また、第４下側側片２２ｄに検知部４０を取り付け、周縁部材の内部に保持部材８０を設けたので、保持部材８０によって第４下側側片２２ｄのたわみが抑制されることで第４下側側片２２ｄを水平又は垂直に保持でき、第４下側側片２２ｄに取り付けられている検知部４０からの光線の入出射又は信号の入出力を正確に行うことが可能となる。
【００７２】
また、第４下側側片２２ｄに検知部４０を取り付け、第４下側側片２２ｄの前後方向の長さを検知部４０の前後方向の長さと略同一としたので、周縁部材の大きさが過大になることを抑制でき、開閉装置１の意匠性を維持することが可能となる。
【００７３】
また、挿通口２２ｅの長手方向の長さを検知部４０の長手方向の長さよりも短くしたので、挿通口２２ｅの長手方向の長さを検知部４０の長手方向の長さよりも長くした場合に比べて、例えば検知部４０をケンドン式に挿通すること等により検知部４０の取付性を維持しながら、収容空間ＳＳに収容されている検知部４０が挿通口２２ｅを介してシャッター収納部２０から脱落することを抑制できる。また、挿通口２２ｅの長手方向の長さを比較的短くでき、周縁部材の外観意匠を維持できる。
【００７４】
〔ＩＩＩ〕実施の形態に対する変形例
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【００７５】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００７６】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【００７７】
（開閉装置について）
上記実施の形態では、開閉装置１が、電動式の窓シャッターであると説明したが、これに限らず、例えば、手動式の窓シャッター、軽量シャッター、ロールスクリーン装置、防煙垂れ幕、扉装置、自動ドア装置等であってもよい。
【００７８】
また、上記実施の形態では、開閉装置１のシャッターカーテン３０が、ブラインド式のシャッターカーテンであると説明したが、これに限らず、例えば、スクリーン式のシャッターカーテン、又はスリット式のシャッターカーテンであってもよい。
【００７９】
（電装品について）
上記実施の形態では、電装品が検知部４０であると説明したが、これに限らず、例えば、信号を送信する送信部、信号を受信する受信部、又は光を照らす照明部であってもよい。
【００８０】
（検知部について）
上記実施の形態では、検知部４０が、カバー部６０及び固定部７０を備えていると説明したが、これに限らず、例えば、カバー部６０又は固定部７０の少なくとも１つ以上を省略してもよい。
【００８１】
また、上記実施の形態では、検知部本体５０、カバー部６０、及び固定部７０がそれぞれ別体に形成されていると説明したが、これに限らず、例えば、検知部本体５０、カバー部６０、又は固定部７０の少なくとも２つ以上を一体形成してもよい。
【００８２】
（シャッター収納部について）
上記実施の形態では、第１取付板、第２取付板、上側ケース部２１、下側ケース部２２、第１ケース補強部材２３、及び第２ケース補強部材２４がそれぞれ別体に形成されていると説明したが、これに限らない。例えば、第１取付板、第２取付板、上側ケース部２１、下側ケース部２２、第１ケース補強部材２３、又は第２ケース補強部材２４の少なくとも２つ以上を一体形成してもよい。
【００８３】
また、上記実施の形態では、シャッター収納部２０が、第１ケース補強部材２３及び第２ケース補強部材２４を備えていると説明したが、これに限らない。例えば、第１ケース補強部材２３又は第２ケース補強部材２４の少なくともいずれか一方を省略してもよく、あるいは、第１ケース補強部材２３及び第２ケース補強部材２４に加えて別の補強部材をさらに備えてもよい。
【００８４】
（取付構造について）
上記実施の形態では、収容空間ＳＳが、下側ケース部２２の第４下側側片２２ｄから第２ケース補強部材２４に至る範囲に設けられていると説明したが、これに限らず、例えば、この範囲以外の他の範囲に設けられてもよい。一例として、下側ケース部２２の第１下側側片２２ａ、又は、第４下側側片２２ｄから第１ケース補強部材２３に至る範囲に設けられてもよい。この場合において、第１下側側片２２ａの保持部材８０の近傍部分に検知部４０が設けられている場合には、保持部材８０によって第１下側側片２２ａを垂直に保持できるので、検知部４０を水平又は垂直に保持することが可能となる。
【００８５】
また、上記実施の形態では、下側ケース部２２の第４下側側片２２ｄの前後方向の長さを検知部４０の前後方向の長さと略同一に設定していると説明したが、これに限らず、例えば、収容空間ＳＳの前後方向の長さよりも長く設定してもよい。
【００８６】
また、上記実施の形態では、保持部材８０が、第２ケース補強部材２４を介して第４下側側片２２ｄに対して間接的に接続されていると説明したが、これに限らず、第４下側側片２２ｄに対して直接的に接続されてもよい。
【００８７】
（収容空間側側部について）
上記実施の形態では、収容空間側側部が下側ケース部２２の第４下側側片２２ｄであると説明したが、これに限らない。例えば、下側ケース部２２の第１下側側片２２ａに検知部４０が取り付けられる場合には、収容空間側側部が第１下側側片２２ａであってもよい。
【００８８】
また、上記実施の形態では、収容空間側側部（下側ケース部２２の第４下側側片２２ｄ）の前後方向の長さを検知部４０の前後方向の長さと略同一としていると説明したが、これに限らない。例えば、検知部４０が設けられる周縁部材の形状や大きさ等に応じて、収容空間側側部の左右方向の長さを検知部４０の左右方向の長さと略同一とし、又は、収容空間側側部の上下方向の長さを検知部４０の上下方向の長さと略同一としてもよい。
【００８９】
（収容空間、配線収納空間について）
上記実施の形態では、収容空間ＳＳの大きさが、検知部４０の大きさと略同一に設定されていると説明したが、これに限らず、例えば、検知部４０の大きさよりも大きく設定されてもよい（一例として、収容空間ＳＳの左右方向の長さについては、検知部４０の左右方向の長さよりも長く設定する等）。
【００９０】
また、上記実施の形態では、収容空間ＳＳが、下側ケース部２２の挿通口２２ｅから第２ケース補強部材２４の切欠部２４ａに至る範囲に形成されていると説明したが、これに限らない。例えば、第２ケース補強部材２４が検知部４０と接触しない位置（一例として、図２の第２ケース補強部材２４よりも上方側の位置）に配置されている場合には、切欠部２４ａを省略して、挿通口２２ｅから第２ケース補強部材２４の下端部に至る範囲に形成されてもよい。
【００９１】
また、上記実施の形態では、配線収納空間ＷＳの大きさが、収容空間ＳＳの大きさよりも小さく設定されていると説明したが、これに限らず、収容空間ＳＳの大きさと略同一又はそれにより大きく設定されてもよい。
【００９２】
（配線収納部について）
上記実施の形態では、シャッター収納部２０の内部に、配線収納部９０が設けられていると説明したが、これに限らない。例えば、配線収納部９０を省略してもよい。あるいは、配線収納部９０に代えて、図１０に示すように、接触防止部９５を設けてもよい。接触防止部９５は、シャッターカーテン３０と検知部配線４０ａとが接触することを防止するための接触防止手段である。この接触防止部９５は、例えば、アルミニウム製（又は鋼製）の板状体にて形成され、具体的には、接触防止部９５によって検知部配線４０ａにおけるシャッターカーテン３０に対応する部分の略全体が覆われるように形成される。また、この接触防止部９５は、図１０に示すように、シャッターカーテン３０と検知部配線４０ａとの相互間に設けられ、第１ケース補強部材２３及び下側ケース部２２の第４下側側片２２ｄに対して固定具等によって接続される。このような接触防止部９５により、検知部配線４０ａがシャッターカーテン３０と接触することを回避でき、検知部配線４０ａの損傷等を防止することが可能となる。
【００９３】
また、上記実施の形態では、配線収納部９０の第４配線収納側片９４が、当該第４配線収納側片９４の左端部から右端部に向かうにしたがって下方に向けて傾斜するように形成されていると説明したが、これに限らない。例えば、第４配線収納側片９４が、水平状に形成されてもよい。あるいは、図１１に示すように、第４配線収納側片９４が、当該第４配線収納側片９４の右端部（配線収納部９０の右側開放面側の端部）から左端部に向かうにしたがって下方に向けて傾斜するように形成されてもよい。これにより、検知部配線４０ａを配線収納部９０の内部にスムーズに収納でき、検知部配線４０ａを一層効果的に収納することができる。
【００９４】
また、上記実施の形態では、第４配線収納側片９４の下方部分に排出口９４ａが設けられていると説明したが、これに限らない。例えば、第４配線収納側片９４の下方部分の近傍（一例として、第２配線収納側片９２の右側下方部分等）に設けてもよく、あるいは排出口９４ａを省略してもよい（この場合には、配線収納部９０の右側開放面が排出口９４ａとしての機能を兼ねる）。
【００９５】
また、上記実施の形態では、第１配線収納側片９１には、引出口９１ａが設けられていると説明したが、これに限らない。例えば、第１配線収納側片９１以外の側片（一例として、第２配線収納側片９２）に設けられてもよく、あるいは、引出口９１ａを省略してもよい（この場合には、配線収納部９０の右側開放面が引出口９１ａとしての機能を兼ねる）。
【００９６】
また、上記実施の形態では、配線収納部９０の右側側部が開放面であると説明したが、これに限らない。例えば、配線収納部９０の右側側部以外の他の部分（一例として、第１配線収納側片９１の収容空間ＳＳ側の部分、第２配線収納側片９２の収容空間ＳＳ側の部分、第３配線収納側片９３の収容空間ＳＳ側の部分、第４配線収納側片９４の収容空間ＳＳ側の部分）が、開放面であってもよい。あるいは、配線収納部９０の右側側部の少なくとも一部が側片によって覆われてもよく、一例として、図１２に示すように、配線収納部９０の右側側部のうち下方部分のみを覆うための側片９６（以下、「第５配線収納側片９６」と称する）が設けられてもよい。これにより、配線収納部９０の右側側部の上方部分から検知部配線４０ａを配線収納空間ＷＳに挿通することができると共に、第５配線収納側片９６によって配線収納空間ＷＳに収容されている検知部配線４０ａが配線収納部９０から脱落することを抑制できる。
【００９７】
（付記）
付記１の電装品の取付構造は、建物の開口部に設けられた開閉装置を構成する周縁部材であって前記開口部の周縁に設けられた周縁部材に対して、電装品を取り付けるための取付構造であって、前記周縁部材に設けられた収容空間であって、前記電装品を前記周縁部材の外部から内部に向けて挿通可能とし、且つ、前記電装品を前記周縁部材から外部に向けて突出しないように収容可能とする収容空間を備えた。
【００９８】
付記２の電装品の取付構造は、付記１に記載の電装品の取付構造において、前記周縁部材の内部に設けられた配線収納手段であって、当該配線収納手段の内部に前記電装品に接続された配線を収納するための配線収納手段を備え、前記配線収納手段の下側側部を、当該下側側部の一部の端部から当該端部とは反対側の端部に向かうにしたがって下方に向けて傾斜するように形成し、前記配線収納手段の下側側部の下方部分に、前記配線収納手段の内部に浸入した水を前記配線収納手段の外部へ排出するための排出口を設けた。
【００９９】
付記３の電装品の取付構造は、付記１又は２に記載の電装品の取付構造において、前記周縁部材の側部のうち前記収容空間側の側部である収容空間側側部に、前記電装品を取り付け、前記周縁部材の内部に、前記収容空間側側部を水平又は垂直に保持するための保持手段を設けた。
【０１００】
付記４の電装品の取付構造は、付記１又は２に記載の電装品の取付構造において、前記周縁部材の側部のうち前記収容空間側の側部である収容空間側側部に、前記電装品を取り付け、前記収容空間側側部の前後方向の長さを前記電装品の前後方向の長さと略同一とし、前記収容空間側側部の左右方向の長さを前記電装品の左右方向の長さと略同一とし、又は、前記収容空間側側部の上下方向の長さを前記電装品の上下方向の長さと略同一とした。
【０１０１】
付記５の電装品の取付構造は、付記１から４のいずれか一項に記載の電装品の取付構造において、前記電装品を長尺状に形成し、前記周縁部材に設けられた長尺な挿通口であって、前記電装品を前記周縁部材の外部から前記収容空間に向けて挿通するための挿通口を備え、前記挿通口の長手方向の長さを、前記電装品の長手方向の長さよりも短くした。
【０１０２】
（付記の効果）
付記１に記載の電装品の取付構造によれば、周縁部材に設けられた収容空間であって、電装品を周縁部材の外部から内部に向けて挿通可能とし、且つ、電装品を周縁部材から外部に向けて突出しないように収容可能とする収容空間を備えたので、電装品が露出することを防止できると共に、周縁部材を取り外す手間を要することなく、電装品の取り付け又は取り外しを行うことができる。よって、開閉装置の意匠性を維持しながら、電装品の取付作業を効率的に行うことができる。
【０１０３】
付記２に記載の電装品の取付構造によれば、周縁部材の内部に設けられた配線収納手段を備えたので、電装品に接続された配線を外部に露出しないように収納できると共に、上記配線が他の部材（例えば、開閉装置の開閉体）との接触によって損傷することを回避でき、この配線を効果的に収納することができる。また、配線収納手段の下側側部を、当該下側側部の一部の端部から当該端部とは反対側の端部に向かうにしたがって下方に向けて傾斜するように形成し、配線収納手段の下側側部の下方部分に排出口を設けたので、配線収納手段の内部に浸入した水を配線収納手段の外部へ排出でき、上記浸入した水によって配線収納手段に収納されている上記配線に不具合が生じることを回避できる。
【０１０４】
付記３に記載の電装品の取付構造によれば、収容空間側側部に電装品を取り付け、周縁部材の内部に保持手段を設けたので、保持手段によって収容空間側側部のたわみが抑制されることで収容空間側側部を水平又は垂直に保持でき、収容空間側側部に取り付けられている電装品からの光線の入出射又は信号の入出力を正確に行うことが可能となる。
【０１０５】
付記４に記載の電装品の取付構造によれば、収容空間側側部に、電装品を取り付け、収容空間側側部の前後方向の長さを電装品の前後方向の長さと略同一とし、収容空間側側部の左右方向の長さを電装品の左右方向の長さと略同一とし、又は、収容空間側側部の上下方向の長さを電装品の上下方向の長さと略同一としたので、周縁部材の大きさが過大になることを抑制でき、開閉装置の意匠性を維持することが可能となる。
【０１０６】
付記５に記載の電装品の取付構造によれば、挿通口の長手方向の長さを電装品の長手方向の長さよりも短くしたので、挿通口の長手方向の長さを電装品の長手方向の長さよりも長くした場合に比べて、例えば電装品をケンドン式に挿通すること等により電装品の取付性を維持しながら、収容空間に収容されている電装品が挿通口を介して周縁部材から脱落することを抑制できる。また、挿通口の長手方向の長さを比較的短くでき、周縁部材の外観意匠を維持できる。
【符号の説明】
【０１０７】
１  開閉装置
２  壁
３  開口部
１０  枠体
１１  右縦枠
１２  水切り板
１５  ガイドレール
２０  シャッター収納部
２１  上側ケース部
２１ａ  第１上側側片
２１ｂ  第２上側側片
２１ｃ  第３上側側片
２１ｄ  第４上側側片
２２  下側ケース部
２２ａ  第１下側側片
２２ｂ  第２下側側片
２２ｃ  第３下側側片
２２ｄ  第４下側側片
２２ｅ  挿通口
２２ｆ  突出部
２３  第１ケース補強部材
２４  第２ケース補強部材
２４ａ  切欠部
３０  シャッターカーテン
３１  スラット
４０  検知部
４０ａ  検知部配線
４０ｂ  止め具
５０  検知部本体
５１  入出射部分
６０  カバー部
６１  第１カバー側片
６２  第２カバー側片
６２ａ  取付孔
６３  第３カバー側片
６４  第４カバー側片
６５  切欠部
７０  固定部
７１  第１固定側片
７１ａ  取付孔
７２  第２固定側片
７２ａ  取付孔
７３  切欠部
８０  保持部材
９０  配線収納部
９１  第１配線収納側片
９１ａ  引出口
９２  第２配線収納側片
９２ａ  取付孔
９３  第３配線収納側片
９４  第４配線収納側片
９４ａ  排出口
９５  接触防止部
９６  第５配線収納側片
Ｌ１  挿通口の長手方向の長さ
Ｌ２  検知部の長手方向の長さ
Ｓ１  第１シャッター収納空間
Ｓ２  第２シャッター収納空間
ＳＳ  収容空間
ＷＳ  配線収納空間
【図１】
2019143327.tif 000003
【図２】
2019143327.tif 000004
【図３】
2019143327.tif 000005
【図４】
2019143327.tif 000006
【図５】
2019143327.tif 000007
【図６】
2019143327.tif 000008
【図７】
2019143327.tif 000009
【図８】
2019143327.tif 000010
【図９】
2019143327.tif 000011
【図１０】
2019143327.tif 000012
【図１１】
2019143327.tif 000013
【図１２】
2019143327.tif 000014